(57)【要約】  本発明の課題は、ＴＶ放送視聴開始時やヘッドホン挿抜時に自動的に音量を制御することができる電子機器及び電子機器の音量制御方法を提供することである。  ＴＶ放送データ受信部（１００）にて受信した放送を視聴する場合又はＴＶ放送録画データ再生部（１０１）で録画データを再生する場合に、音声出力管理部（１０９）、音量管理部（１１０）及びＵＩ管理部（１１１）にて、通常起動／マナー起動／ヘッドホン使用起動等の起動モードを明確に管理し、音量変更、ヘッドホン挿抜等のユーザ操作をトリガとして、各起動モード遷移並びに起動モード遷移固有の音量制御を自動的に実行する。これにより、使用環境／使用スタイルに依存しないＴＶ視聴／録画データ再生が可能となり、従来以上にＴＶ放送受信可能な電子機器を所有するユーザの操作性、利便性を向上させることができる。
2008015864.tif 000002
【特許請求の範囲】
【請求項１】
テレビ放送波を受信するテレビ放送受信手段を備える電子機器のテレビ放送視聴又は録画データ再生における起動モード管理方法において、
通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードを個別に管理し、ユーザによる所定の操作をトリガとして、前記各起動モードの遷移、及び当該モード遷移又は遷移先モードに固有の音量制御を行う起動モード管理方法。
【請求項２】
前記ユーザによる起動操作、音量変更操作、ヘッドホン挿抜操作を含む請求項１に記載の起動モード管理方法。
【請求項３】
前記テレビ放送波を受信するテレビ放送受信手段を備える電子機器が携帯端末である請求項１又は請求項２に記載の起動モード管理方法。
【請求項４】
テレビ放送波を受信するテレビ放送受信手段を備える電子機器のテレビ放送視聴又は録画データ再生における音量制御方法において、
通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードに応じて、前記各起動モード遷移直後の音量初期値として、当該モード遷移又は遷移先モードに固有の固定値、又は同一モードでの前回起動時の最終設定値のいずれかの設定をユーザが行えるようにする音量制御方法。
【請求項５】
前記各起動モードに応じて、音量ミュート時に音声復号化処理を停止するか否かの設定をユーザが行えるようにする請求項４に記載の音量制御方法。
【請求項６】
前記テレビ放送波を受信するテレビ放送受信手段を備える電子機器が携帯端末である請求項４又は請求項５に記載の音量制御方法。
【請求項７】
テレビ放送波を受信するテレビ放送受信手段と、
録画データの再生を行う録画データ再生手段と、
を備える電子機器において、
ユーザによる操作手段と、
通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードを個別に管理し、前記操作手段によるユーザ操作をトリガとして、前記各起動モードの遷移、及び当該モード遷移又は遷移先モード固有の音量制御を行う起動モード管理手段と、
を備える電子機器。
【請求項８】
前記ユーザによる起動操作、音量変更操作、ヘッドホン挿抜操作を含む請求項７に記載の電子機器。
【請求項９】
前記起動モード管理手段は、未起動でマナー起動操作が行われるとマナー起動モードにし、通常起動モードで起動モード切替操作が行われるとマナー起動モードにし、未起動でヘッドホン使用マナー起動操作が行われるとヘッドホン使用マナー起動モードにし、ヘッドホン使用通常起動モードで起動モード切替操作が行われるとヘッドホン使用マナー起動モードにし、マナー起動モードでヘッドホンが挿入されるとヘッドホン使用マナー起動モードにし、ヘッドホン使用マナー起動モードでヘッドホンが抜かれるとマナー起動モードにする請求項７又は請求項８に記載の電子機器。
【請求項１０】
通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードに応じて、前記各起動モード遷移直後の音量初期値として、当該モード遷移又は遷移先モードに固有の固定値、又は同一モードでの前回起動時の最終設定値のいずれかの設定をユーザが行えるようする音量制御手段を備える請求項７乃至請求項９のいずれかに記載の電子機器。
【請求項１１】
前記音量制御手段は、前記各起動モードに応じて、音量ミュート時に音声復号化処理を停止するか否かの設定をユーザが行えるようする請求項１０に記載の電子機器。
【請求項１２】
前記テレビ放送波を受信するテレビ放送受信手段と、録画データの再生を行う録画データ再生手段と、を備える電子機器が携帯端末である請求項７乃至請求項１１のいずれかに記載の電子機器。
【請求項１３】
テレビ放送視聴又は録画データ再生を行える電子機器を遠隔制御可能なコントローラにおいて、
マナー起動を行うためのキー入力手段と、
通常にテレビ又は録画データを視聴するための通常起動、マナーを要する場所でテレビ又は録画データを視聴するための前記マナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードを個別に管理し、未起動でマナー起動操作が行われるとマナー起動モードにし、通常起動モードで起動モード切替操作が行われるとマナー起動モードにし、未起動でヘッドホンマナー使用起動操作が行われるとヘッドホン使用マナー起動モードにし、ヘッドホン使用通常起動モードで起動モード切替操作が行われるとヘッドホン使用マナー起動モードにし、マナー起動モードでヘッドホンが挿入されるとヘッドホン使用マナー起動モードにし、ヘッドホン使用マナー起動モードでヘッドホンが抜かれるとマナー起動モードにする起動モード管理手段と、
を備えるコントローラ。
【発明の詳細な説明】
【技術分野】
【０００１】
本発明は、テレビ放送を受信可能な電子機器及び電子機器の音量制御方法に関する。
【背景技術】
【０００２】
近年、電子機器として、高精細液晶、高画質撮像素子等を備えた高性能な携帯端末が普及し、それに呼応するように、通常通話に加えて、インターネット接続、メール送受信、ＴＶ（テレビ）電話、アナログＴＶ放送受信等の多様なアプリケーションが搭載されるようになった。また、２００６年から本サービスが開始された携帯端末向け地上デジタルＴＶ放送の受信／視聴機能も搭載され始め、既に数社より発売されている。さらに、地上デジタル音声放送のサービス開始も予定されており、当該機能の携帯端末への搭載も検討されている。例えば非特許文献１によれば、地上デジタルＴＶ放送並びに地上デジタル音声放送を受信可能な携帯受信機が紹介され、近々発売される見通しである。【０００３】
このような背景のもとで、電車内等の公共の場において携帯端末を利用して地上デジタルＴＶ放送や地上デジタル音声放送を受信／視聴する機会が今後増加するものと考えられる。その際、周囲に対する配慮が必要であることは当然である。【０００４】
一方、公共の場での着信音制御等を目的としたマナーモードが携帯電話には搭載されており、関連する制御方法も多数紹介されている。例えば、特許文献１によれば、ユーザが使用モード別に着信音だけでなくマイク感度、受話音量等を予め設定可能であり、そのモードを簡単な操作で切り替えることができる携帯端末を提案している。また、特許文献２によれば、移動速度から自動的にマナーモードＯＮ／ＯＦＦが可能なシステムを提案しており、高速移動中のユーザがマナーモードを設定する必要性を排除している。いずれも、一般的なマナーモード操作を超えた利便性をユーザに提供可能である。【０００５】
さらに、地上デジタルＴＶ放送を屋外や電車内でも情報、娯楽性を損なわずに視聴可能な携帯端末も提案されている。例えば、特許文献３によれば、視聴時の周囲の環境音量に応じて、音声データを文字変換／字幕表示する仕組みが示されている。【０００６】
【特許文献１】特開平１０−２６２２８０号公報
【特許文献２】特開２００１−１５７２６８号公報
【特許文献３】特開２００５−６４５９２号公報
【非特許文献１】News Topics、[online]、株式会社ピクセラ、[２００６年３月２４日検索]、インターネット＜URL: http://www.pixela.co.jp/news/2005/1216.html＞
【発明の開示】
【発明が解決しようとする課題】
【０００７】
しかしながら、従来のＴＶ放送受信可能な携帯端末においては、電車内等の公共の場でＴＶ視聴するような場合、前述の特許文献３のような文字変換等の方法を除けば、ヘッドホンを使用したり、音量をミュートしたりせざるを得ないことが多い。このとき、ＴＶ視聴時の音量は前回視聴時の最終設定値が用いられることが一般的であるため、前回視聴した状況によっては起動時に予想外の大音量で再生される可能性がある。また、起動直後に音量を小さくして視聴開始したとしても、途中でヘッドホンに切り替えたい場合には装着後に通常音量に変更するなどの音量調節が再度必要となり、ユーザにとって操作が煩わしいという問題がある。【０００８】
ここで、図１０に示すフロー図を用いて説明する。同図において、ＴＶを起動した（ステップＳ１０００）際に、その直後に意図しない音量で再生する可能性があり、周囲に迷惑を掛ける危険性がある。そこで、音量調整が必要か否かを判定し（ステップＳ１００１）、音量調整が必要であれば音量調整を実施する（ステップＳ１００２）。この際の音量調整はユーザが手動で行う。音量調整を実施した後、ヘッドホンの挿抜があるかどうか判定し（ステップＳ１００３）、ヘッドホンの挿抜がある場合はステップＳ１００１に戻り、再度音量調整が必要かどうか判定する。ヘッドホンの挿抜がない場合はＴＶ受信が停止かどうかを判定し（ステップＳ１００４）、ＴＶ受信停止でなければＴＶ受信が終了するまでユーザが手動で音量調整するフローが繰返されることになる。音量調整が必要でない場合は、ステップＳ１００１からステップＳ１００３に進む。【０００９】
本発明は、係る事情に鑑みてなされたものであり、ＴＶ放送視聴開始時やヘッドホン挿抜時に自動的に音量を制御することができる電子機器及び電子機器の音量制御方法を提供することを目的とする。
【課題を解決するための手段】
【００１０】
上記目的は下記構成又は方法により達成される。
（１）  テレビ放送波を受信するテレビ放送受信手段を備える電子機器のテレビ放送視聴又は録画データ再生における起動モード管理方法において、通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードを個別に管理し、ユーザによる所定の操作をトリガとして、前記各起動モードの遷移、及び当該モード遷移又は遷移先モードに固有の音量制御を行う。【００１１】
（２）  上記（１）に記載の起動モード管理方法において、前記ユーザによる起動操作、音量変更操作、ヘッドホン挿抜操作を含む。【００１２】
（３）  上記（１）又は（２）に記載の起動モード管理方法において、前記テレビ放送波を受信するテレビ放送受信手段を備える電子機器が携帯端末である。【００１３】
（４）  テレビ放送波を受信するテレビ放送受信手段を備える電子機器のテレビ放送視聴又は録画データ再生における音量制御方法において、通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードに応じて、前記各起動モード遷移直後の音量初期値として、当該モード遷移又は遷移先モードに固有の固定値、又は同一モードでの前回起動時の最終設定値のいずれかの設定をユーザが行えるようにする。【００１４】
（５）  上記（４）に記載の音量制御方法において、前記各起動モードに応じて、音量ミュート時に音声復号化処理を停止するか否かの設定をユーザが行えるようにする。【００１５】
（６）  上記（４）又は（５）に記載の音量制御方法において、前記テレビ放送波を受信するテレビ放送受信手段を備える電子機器が携帯端末である。【００１６】
（７）  テレビ放送波を受信するテレビ放送受信手段と、録画データの再生を行う録画データ再生手段と、を備える電子機器において、ユーザによる操作手段と、通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードを個別に管理し、前記操作手段によるユーザ操作をトリガとして、前記各起動モードの遷移、及び当該モード遷移又は遷移先モード固有の音量制御を行う起動モード管理手段と、を備える。【００１７】
（８）  上記（７）に記載の電子機器において、前記ユーザによる起動操作、音量変更操作、ヘッドホン挿抜操作を含む。【００１８】
（９）  上記（７）又は（８）に記載の電子機器において、前記起動モード管理手段は、未起動でマナー起動操作が行われるとマナー起動モードにし、通常起動モードで起動モード切替操作が行われるとマナー起動モードにし、未起動でヘッドホン使用マナー起動操作が行われるとヘッドホン使用マナー起動モードにし、ヘッドホン使用通常起動モードで起動モード切替操作が行われるとヘッドホン使用マナー起動モードにし、マナー起動モードでヘッドホンが挿入されるとヘッドホン使用マナー起動モードにし、ヘッドホン使用マナー起動モードでヘッドホンが抜かれるとマナー起動モードにする。【００１９】
（１０）  上記（７）乃至（９）のいずれかに記載の電子機器において、通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードに応じて、前記各起動モード遷移直後の音量初期値として、当該モード遷移又は遷移先モードに固有の固定値、又は同一モードでの前回起動時の最終設定値のいずれかの設定をユーザが行えるようする音量制御手段を備える。【００２０】
（１１）  上記（１０）に記載の電子機器において、前記音量制御手段は、前記各起動モードに応じて、音量ミュート時に音声復号化処理を停止するか否かの設定をユーザが行えるようする。【００２１】
（１２）  上記（７）乃至（１１）のいずれかに記載の電子機器において、前記テレビ放送波を受信するテレビ放送受信手段と、録画データの再生を行う録画データ再生手段と、を備える電子機器が携帯端末である。【００２２】
（１３）  テレビ放送視聴又は録画データ再生を行える電子機器を遠隔制御可能なコントローラにおいて、マナー起動を行うためのキー入力手段と、通常にテレビ又は録画データを視聴するための通常起動、マナーを要する場所でテレビ又は録画データを視聴するための前記マナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードを個別に管理し、未起動でマナー起動操作が行われるとマナー起動モードにし、通常起動モードで起動モード切替操作が行われるとマナー起動モードにし、未起動でヘッドホンマナー使用起動操作が行われるとヘッドホン使用マナー起動モードにし、ヘッドホン使用通常起動モードで起動モード切替操作が行われるとヘッドホン使用マナー起動モードにし、マナー起動モードでヘッドホンが挿入されるとヘッドホン使用マナー起動モードにし、ヘッドホン使用マナー起動モードでヘッドホンが抜かれるとマナー起動モードにする起動モード管理手段と、を備える。
【発明の効果】
【００２３】
上記（１）に記載の起動モード管理方法では、ユーザによる所定の操作をトリガとして自動的に音量を制御するので、電車内等の公共の場でテレビ放送や録画データを視聴するような場合で、周囲に対する配慮からヘッドホンを使用したり、音量をミュートして視聴せざるを得ない場合でも単一操作でマナー起動を行うことができる。すなわち、視聴環境や視聴スタイルに依存した煩わしい音量操作を行うことなく常に的確な音量でテレビ視聴等を行うことが可能となる。【００２４】
上記（２）に記載の起動モード管理方法では、ユーザによる起動操作、音量変更操作、ヘッドホン挿抜操作を含み、上記（１）による効果と同様の効果が得られる。【００２５】
上記（３）に記載の起動モード管理方法では、テレビ放送波を受信するテレビ放送受信手段を備える電子機器が携帯端末であり、上記（１）による効果と同様の効果が得られる。【００２６】
上記（４）に記載の音量制御方法では、通常起動／マナー起動／ヘッドホン使用起動等の各起動モードに応じて、起動モード遷移直後の音量初期値として、当該モード遷移又は遷移先モードに固有の固定値、又は同一モードでの前回起動時の最終設定値のいずれかの設定をユーザが自由に行うことができる。【００２７】
上記（５）に記載の音量制御方法では、通常起動／マナー起動／ヘッドホン使用起動等の各起動モードに応じて、音量ミュート時に音声復号化処理を停止するか否かの設定をユーザが自由に行うことができ、しかも音声復号化処理を停止する設定を行うことで省電力化が図れる。【００２８】
上記（６）に記載の音量制御方法では、テレビ放送波を受信するテレビ放送受信手段を備える電子機器が携帯端末であり、上記（４）による効果と同様の効果が得られる。【００２９】
上記（７）に記載の電子機器では、テレビ放送／録画データ視聴開始時やヘッドホン挿抜時に自動的に音量を制御するので、電車内等の公共の場でテレビ放送や録画データを視聴するような場合で、周囲に対する配慮からヘッドホンを使用したり、音量をミュートして視聴せざるを得ない場合でも単一操作でマナー起動を行うことができる。すなわち、視聴環境や視聴スタイルに依存した煩わしい音量操作を行うことなく常に的確な音量でテレビ視聴等を行うことが可能となる。【００３０】
上記（８）に記載の電子機器では、ユーザによる起動操作、音量変更操作、ヘッドホン挿抜操作を含み、上記（７）による効果と同様の効果が得られる。【００３１】
上記（９）に記載の電子機器では、通常起動／マナー起動／ヘッドホン使用起動等を単一操作で行うことができる。【００３２】
上記（１０）に記載の電子機器では、通常起動／マナー起動／ヘッドホン使用起動等の各起動モードに応じて、起動モード遷移直後の音量初期値として、当該モード遷移又は遷移先モードに固有の固定値、又は同一モードでの前回起動時の最終設定値のいずれかの設定をユーザが自由に行うことができる。【００３３】
上記（１１）に記載の電子機器では、通常起動／マナー起動／ヘッドホン使用起動等の各起動モードに応じて、音量ミュート時に音声復号化処理を停止するか否かの設定をユーザが自由に行うことができ、しかも音声復号化処理を停止する設定を行うことで省電力化が図れる。【００３４】
上記（１２）に記載の電子機器では、テレビ放送波を受信するテレビ放送受信手段と、録画データの再生を行う録画データ再生手段と、を備える電子機器が携帯端末であり、上記（７）による効果と同様の効果が得られる。【００３５】
上記（１３）に記載のコントローラでは、電子機器における通常起動／マナー起動／ヘッドホン使用起動等を単一操作で行うことができる。なお、電子機器としては、上述した携帯端末の他、ＰＤＡ（Personal Digital Assistant）、パーソナルコンピュータ、携帯テレビ、据置き型テレビ、据置き型テレビのリモートコントローラ等である。
【図面の簡単な説明】
【００３６】
【図１】本発明の一実施の形態に係る電子機器の概略構成を示すブロック図
【図２】本実施の形態に係る電子機器におけるモード管理の一例を説明するための図
【図３】本実施の形態に係る電子機器に設けられた音量管理テーブルを示す図
【図４】本実施の形態に係る電子機器のモード遷移時の制御（通常起動）の一例を示すフロー図
【図５】本実施の形態に係る電子機器のモード遷移時の制御（マナー起動）の一例を示すフロー図
【図６】本実施の形態に係る電子機器のモード遷移時の制御（通常起動（ＨＰ））の一例を示すフロー図
【図７】本実施の形態に係る電子機器のモード遷移時の制御（マナー起動（ＨＰ））の一例を示すフロー図
【図８】本実施の形態に係る電子機器のモード遷移時の制御（共通後処理）の一例を示すフロー図
【図９】本実施の形態に係る電子機器としての携帯端末のイメージ図
【図１０】従来の携帯端末におけるテレビ起動手順の一例を示すフロー図
【符号の説明】
【００３７】
１００  ＴＶ放送データ受信部
１０１  ＴＶ放送録画データ再生部
１０２  ＴＶ放送データ分離部
１０３  ＴＶ放送データ復号化部（Data）
１０４  ＴＶ放送データ復号化部（Video）
１０５  ＴＶ放送データ復号化部（Audio）
１０６  表示出力制御部
１０７  同期制御部
１０８  音声出力制御部
１０９  音声出力管理部
１１０  音量管理部
１１１  ＵＩ管理部
１１２  入出力制御部
９００  携帯端末
９０１  ＴＶ通常起動キー
９０２  ＴＶマナー起動キー
９０３  ＴＶ起動モード切替キー
９０４  ＬＣＤ表示部
【発明を実施するための最良の形態】
【００３８】
以下、本発明を実施するための好適な実施の形態について、図面を参照して詳細に説明する。【００３９】
図１は、本発明の一実施の形態に係る電子機器の概略構成を示すブロック図である。同図において、本実施の形態の電子機器は、テレビ（ＴＶ）放送を受信できる機能を有するものであり、ＴＶ放送は地上デジタルＴＶ放送を想定している。また、本実施の形態の電子機器は、携帯端末を想定している。本実施の形態の電子機器は、ＴＶ放送受信機能を実現するために、データインターフェースとして、ＴＶ放送局からデータパス１１３経由で受信する放送データのベースバンド系処理等を行うＴＶ放送データ受信部１００及びメモリ等よりデータパス１１４経由で入力される録画データの制御を行うＴＶ放送録画データ再生部１０１を備える。受信データはＴＶ放送データ分離部１０２でストリーム分離され、データ放送系のデータがＴＶ放送データ復号化部（Data）１０３に入力され、ビデオ系のデータがＴＶ放送データ復号化部（Video）１０４に入力され、オーディオ系のデータがＴＶ放送データ復号化部（Audio）１０５に入力される。【００４０】
ＴＶ放送データ復号化部１０３からのデータ放送系の復号化データとＴＶ放送データ復号化部１０４からのビデオ系の復号化データが表示出力制御部１０６を経由してデータパス１２１により入出力制御部１１２に渡される。一方、オーディオ系の復号化データは音声出力制御部１０８を経由してデータパス１２２により入出力制御部１１２に渡される。表示出力制御部１０６は、表示系データの作成、バッファリング、出力タイミング制御等を行う。音声出力制御部１０８は、音声系データの作成、バッファリング、出力タイミング制御等を行う。表示系／音声系データの出力同期は同期制御部１０７が管理し、制御データパス１１５により、各ＴＶ放送データ復号化部１０３〜１０５を制御することで実現する。入出力制御部１１２は、ＬＣＤ（液晶）制御、カメラ制御、マイク制御、スピーカ制御、ヘッドホン検出、キー制御の各機能を有する。【００４１】
本発明の主要構成要素である音声出力管理部１０９は、音量管理部１１０並びにＵＩ（User Interface）管理部１１１と連携して音量制御／起動モード等の全体管理を行う。音量管理部１１０は、音量管理テーブルにより現在の音量並びに次回起動時の音量を管理し、音声出力管理部１０９に対してデータパス１１８経由で適切な情報を通知する。また、音量管理部１１０は、音量ミュート時の省電力設定テーブルも管理しており、音声出力管理部１０９がデータパス１１７経由でＴＶ放送データ復号化部（Audio）１０５に通知し、復号化処理の停止／再開が可能である。ＵＩ管理部１１１は、キー操作等によるユーザインターフェースの状態変化を管理しており、ヘッドホン挿抜やキー操作が発生した場合はデータパス１２３、１２４経由で入出力管理部１１２より通知を受け、データパス１１９経由で音声出力管理部１０９に通知する。なお、音声出力管理部１０９で決定される音量／起動モードはデータパス１２０経由で表示出力制御部１０６に通知されるため、ＬＣＤ（Liquid Crystal Display：液晶ディスプレイ）等に表示させることができる。【００４２】
次に、起動モードの管理方法並びにモード遷移時の音量制御方法について、図２、図３、図４、図５、図６、図７及び図８を参照しながら説明する。【００４３】
図２は、音声出力管理部１０９におけるモード管理の一例である。ＴＶ視聴／再生が起動していない未起動２００から開始され、通常起動２０１、マナー起動２０２、通常起動（ＨＰ：Head Phone）２０３、マナー起動（ＨＰ：Head Phone）２０４を含む全５モードを遷移する。通常起動２０１並びに通常起動（ＨＰ）２０３は、一般的なＴＶ起動モードであり、ヘッドホン装着有無でモードが異なる。マナー起動２０２並びにマナー起動（ＨＰ）２０４は、公共の場等で使用するマナーモードであり、上記と同様にヘッドホン装着有無でモードが異なる。なお、モード遷移は、ユーザのモード選択／変更操作又はヘッドホン挿抜をトリガとしている。音量変更のみの場合は同一モードに遷移する。【００４４】
通常起動２０１は、未起動２００からのＴＶ起動キー押下等による通常起動選択２０９により遷移するほか、マナー起動２０２からのモード切替キー押下等によるモード切替２０５又は通常起動（ＨＰ）２０３からのヘッドホン挿抜等によるＨＰ挿抜２０８でも遷移可能である。マナー起動２０２は、未起動２００からのＴＶマナー起動キー押下等によるマナー起動選択２１０により遷移するほか、通常起動２０１からのモード切替キー押下等によるモード切替２０５又はマナー起動（ＨＰ）２０４からのヘッドホン挿抜等によるＨＰ挿抜２０６でも遷移可能である。【００４５】
通常起動（ＨＰ）２０３は、ヘッドホン装着時に未起動２００からのＴＶ起動キー押下等による通常起動選択（ＨＰ装着時）２１２により遷移するほか、マナー起動（ＨＰ）２０４からのモード切替キー押下等によるモード切替２０７又は通常起動２０１からのヘッドホン装着等によるＨＰ挿抜２０８でも遷移可能である。マナー起動（ＨＰ）２０４は、ヘッドホン装着時に未起動２００からのＴＶマナー起動キー押下等によるマナー起動選択（ＨＰ装着時）２１１により遷移するほか、通常起動（ＨＰ）２０３からのモード切替キー押下等によるモード切替２０７又はマナー起動２０２からのヘッドホン装着等によるＨＰ挿抜２０６でも遷移可能である。【００４６】
未起動２００は、他の４モードよりテレビ機能停止等により遷移する。【００４７】
例えば、電車内で音量ミュートにより視聴を開始したが、途中でヘッドホンに切り替えて視聴継続して終了する場合、未起動２００→マナー起動２０２→マナー起動（ＨＰ）２０４→未起動２００の順にモードが遷移する。【００４８】
図３の（ａ）〜（ｃ）は、音声出力管理部１０９又は音量管理部１１０が管理する音量管理テーブルの一例である。（ａ）の音量管理テーブルには、現在の起動モード３００と選択されている音量３０１が格納されており、モード遷移／音量変更に応じて更新される。音量管理部１１０並びにＵＩ管理部１１１の情報を受けて音声出力管理部１０９にて管理する。【００４９】
図３の（ｂ）の音量管理テーブルには、各起動モード３０２における音量の初期値３０４と前回設定値３０５が管理されている。初期値固定フラグ３０３は、モード遷移時に選択される音量初期値に固定値を設定するか、同一モードで前回起動した際の最終設定値を設定するかを決めるフラグであり、ユーザがモード別に予め設定可能である。音量の初期値３０４については初期値固定フラグがＯＮの場合、ユーザが予め設定した値のまま更新されない。初期値固定フラグがＯＦＦの場合、当該モードから別モードに遷移する際に前回設定値３０５と同一の値に更新される。当然のことながら、ユーザが初期値固定フラグ３０３を変更する際にもフラグがＯＮであれば固定値に、ＯＦＦであれば当該モードの前回設定値と同一の値に更新される。音量の前回設定値３０５については当該モードから別モードに遷移する際に更新される。例えば、（ｂ）では通常起動モードでは初期値固定フラグ３０３はＯＦＦであるため、音量の前回設定値と初期値が同じ「４」となっている。これはユーザが最終的に音量４を選択した状態で別モードに遷移したため、次回通常起動モードの音量初期値も４であることを示している。一方、通常起動（ＨＰ）モードでは初期値固定フラグ３０３がＯＮとなっているため、前回設定値は「６」であるが、次回通常起動（ＨＰ）モードでの音量初期値はユーザ指定の固定値５と異なっていることが分かる。【００５０】
図３の（ｃ）の音量管理テーブルには、各起動モード３０６における音量ミュート（音量ゼロ）時の省電力設定フラグ３０７が格納されており、ユーザが予め設定可能である。本フラグ３０７がＯＮの場合、音量０が選択されると、音声出力管理部１０９がＴＶ放送データ復号部（Audio）１０５に対し復号化処理を停止させることで省電力化を図ることができる。【００５１】
図４〜図８はモード遷移時の制御フローの一例である。図４は、通常起動モードに遷移した場合の制御フローである。同図において、通常起動モードに遷移すると（ステップＳ４００）、遷移元のモード確認を順次行う（ステップＳ４０１、ステップＳ４０２）。遷移元が通常起動モードすなわち同一モードであれば音量変更により、要求された音量に変更する（ステップＳ４０３）。遷移元が通常起動（ＨＰ）モードであれば音量管理テーブルに格納されている初期値３０４への音量変更並びにヘッドホン有無による音特性変更を行う（ステップＳ４０４）。それ以外の場合は音量変更により、音量管理テーブルに格納されている初期値３０４に音量を変更する（ステップＳ４０５）。いずれの場合も、共通後処理（ステップＳ４０６）を実施して終了する。【００５２】
図５は、マナー起動モードに遷移した場合の制御フローである。同図において、マナー起動モードに遷移すると（ステップＳ５００）、遷移元のモード確認を順次行う（ステップＳ５０１、ステップＳ５０２）。遷移元がマナー起動モードすなわち同一モードであれば音量変更により、要求された音量に変更する（ステップＳ５０３）。遷移元がマナー起動（ＨＰ）モードであれば音量管理テーブルに格納されている初期値３０４への音量変更並びにヘッドホン有無による音特性変更を行う（ステップＳ５０４）。それ以外の場合は音量変更により、音量管理テーブルに格納されている初期値３０４に音量を変更する（ステップＳ５０５）。いずれの場合も、共通後処理（ステップＳ５０６）を実施して終了する。【００５３】
図６は、通常起動（ＨＰ）モードに遷移した場合の制御フローである。同図において、通常起動（ＨＰ）モードに遷移すると（ステップＳ６００）、遷移元のモード確認を順次行う（ステップＳ６０１、ステップＳ６０２、ステップＳ６０３）。遷移元が通常起動（ＨＰ）モードすなわち同一モードであれば音量変更により、要求された音量に変更する（ステップＳ６０４）。遷移元が通常起動モードであれば音量管理テーブルに格納されている初期値３０４への音量変更並びにヘッドホン有無による音特性変更を行う（ステップＳ６０５）。遷移元が未起動モードであれば音量変更により、音量管理テーブルに格納されている初期値３０４に音量を変更する（ステップＳ６０６）。それ以外、すなわち、遷移元がマナー起動（ＨＰ）モードの場合は音量変更しない。これはヘッドホンを使用中という状況が変化しないため、音量変更の必要性がないためである。いずれの場合も、共通後処理（ステップＳ６０７）を実施して終了する。【００５４】
図７は、マナー起動（ＨＰ）モードに遷移した場合の制御フローである。同図において、マナー起動（ＨＰ）モードに遷移すると（ステップＳ７００）、遷移元のモード確認を順次行う（ステップＳ７０１、ステップＳ７０２、ステップＳ７０３）。遷移元がマナー起動（ＨＰ）モード、すなわち同一モードであれば音量変更により、要求された音量に変更する（ステップＳ７０４）。遷移元がマナー起動モードであれば音量管理テーブルに格納されている初期値３０４への音量変更並びにヘッドホン有無による音特性変更を行う（ステップＳ７０５）。遷移元が未起動モードであれば音量変更により、音量管理テーブルに格納されている初期値３０４に音量を変更する（ステップＳ７０６）。それ以外、すなわち、遷移元が通常起動（ＨＰ）モードの場合は音量変更しない。これは前述のように音量変更の必要性がないためである。いずれの場合も、共通後処理（ステップＳ７０７）を実施して終了する。【００５５】
図８は、図４〜図７における共通後処理ステップＳ４０６、Ｓ５０６、Ｓ６０７、Ｓ７０７の詳細フローである。同図において、共通後処理（ステップＳ８００）では、まず音量管理テーブル更新を行う（ステップＳ８０１）。具体的には図３の（ａ）に示す音量管理テーブル内の現在のモード／音量を更新するとともに、図３の（ｂ）に示す音量管理テーブルで遷移元モードの音量初期値／前回設定値を更新する。次いで、省電力フラグ確認（ステップＳ８０２）の結果に従い、ＴＶ放送データ復号部（Audio）１０５に対する復号化停止要求を行う（ステップＳ８０３）か、又は開始要求を行う（ステップＳ８０４）。最後に現在モードに関する情報をユーザに通知するために表示出力制御部１０６に対するモード情報表示要求を発行する（ステップＳ８０５）。【００５６】
以上により、起動モード管理／音量制御を比較的容易に実施することができ、ユーザは使用環境、使用スタイルに依存する音量変更等の煩わしさから解放される。【００５７】
最後に、ＴＶマナー起動可能な携帯端末について図９を参照しながら説明する。図９は、ＴＶマナー起動キーを搭載した携帯端末の一例である。本携帯端末９００にはＴＶ通常起動キー９０１、ＴＶマナー起動キー９０２、起動モード切替キー９０３が搭載されている。【００５８】
テレビ機能停止状態でＴＶ通常起動キー９０１を押下すると、通常起動モードに遷移する。図２では未起動２００→遷移パス２０９→通常起動２０１と遷移する。ＴＶ機能停止状態でＴＶマナー起動キー９０２を押下すると、マナー起動モードに遷移する。図２では未起動２００→遷移パス２１０→マナー起動２０２と遷移する。いずれかのモードで起動している際に起動モード切替キー９０３を押下すると、反対のモードに遷移する。図２では遷移パス２０５に相当する。ヘッドホンを装着している場合も同様に通常起動（ＨＰ）２０３、マナー起動（ＨＰ）２０４を遷移する。また、各々を専用キーにする必要はなく、単一キーでの短押し／長押し操作に区別してもよいし、メニュー選択方式としてもよい。モード情報／音量情報をＬＣＤ表示部９０４に表示することでユーザの利便性も向上する。【００５９】
なお、図９は携帯電話をイメージしているが、ＰＤＡ、パーソナルコンピュータ、携帯テレビ、据置き型テレビ、据置き型テレビのリモートコントローラ等にも適用可能である。すなわち、電源ＯＮ時に音量ミュートしたいような場合には本発明のモード管理／音量制御を実装し、マナー起動ボタンを搭載することで解決可能である。【００６０】
本発明を詳細にまた特定の実施態様を参照して説明したが、本発明の精神と範囲を逸脱することなく様々な変更や修正を加えることができることは当業者にとって明らかである。【００６１】
本出願は、２００６年８月４日出願の日本特許出願（特願２００６−２１２９８７）に基づくものであり、その内容はここに参照として取り込まれる。
【産業上の利用可能性】
【００６２】
本発明は、ＴＶ放送視聴開始時やヘッドホン挿抜時に自動的に音量を制御することができるといった効果を有し、テレビ受信機能を有する携帯端末、ＰＤＡ、パーソナルコンピュータ、携帯テレビ、据置き型テレビ、据置き型テレビのリモートコントローラ等の電子機器への適用が可能である。
【図１】
2008015864.tif 000003
【図２】
2008015864.tif 000004
【図３】
2008015864.tif 000005
【図４】
2008015864.tif 000006
【図５】
2008015864.tif 000007
【図６】
2008015864.tif 000008
【図７】
2008015864.tif 000009
【図８】
2008015864.tif 000010
【図９】
2008015864.tif 000011
【図１０】
2008015864.tif 000012
【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
テレビ放送波を受信するテレビ放送受信手段を備える電子機器のテレビ放送視聴又は録画データ再生における起動モード管理方法において、
通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードを個別に管理し、ユーザによる所定の操作をトリガとして、前記各起動モードの遷移、及び当該モード遷移又は遷移先モードに固有の音量制御を行う起動モード管理方法。
【請求項２】
前記ユーザによる起動操作、音量変更操作、ヘッドホン挿抜操作を含む請求項１に記載の起動モード管理方法。
【請求項３】
前記テレビ放送波を受信するテレビ放送受信手段を備える電子機器が携帯端末である請求項１又は請求項２に記載の起動モード管理方法。
【請求項４】
テレビ放送波を受信するテレビ放送受信手段を備える電子機器のテレビ放送視聴又は録画データ再生における音量制御方法において、
通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードに応じて、前記各起動モード遷移直後の音量初期値として、当該モード遷移又は遷移先モードに固有の固定値、又は同一モードでの前回起動時の最終設定値のいずれかの設定をユーザが行えるようにする音量制御方法。
【請求項５】
前記各起動モードに応じて、音量ミュート時に音声復号化処理を停止するか否かの設定をユーザが行えるようにする請求項４に記載の音量制御方法。
【請求項６】
前記テレビ放送波を受信するテレビ放送受信手段を備える電子機器が携帯端末である請求項４又は請求項５に記載の音量制御方法。
【請求項７】
テレビ放送波を受信するテレビ放送受信手段と、
録画データの再生を行う録画データ再生手段と、
を備える電子機器において、
ユーザによる操作手段と、
通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードを個別に管理し、前記操作手段によるユーザ操作をトリガとして、前記各起動モードの遷移、及び当該モード遷移又は遷移先モード固有の音量制御を行う起動モード管理手段と、
を備える電子機器。
【請求項８】
前記ユーザによる起動操作、音量変更操作、ヘッドホン挿抜操作を含む請求項７に記載の電子機器。
【請求項９】
前記起動モード管理手段は、未起動でマナー起動操作が行われるとマナー起動モードにし、通常起動モードで起動モード切替操作が行われるとマナー起動モードにし、未起動でヘッドホン使用マナー起動操作が行われるとヘッドホン使用マナー起動モードにし、ヘッドホン使用通常起動モードで起動モード切替操作が行われるとヘッドホン使用マナー起動モードにし、マナー起動モードでヘッドホンが挿入されるとヘッドホン使用マナー起動モードにし、ヘッドホン使用マナー起動モードでヘッドホンが抜かれるとマナー起動モードにする請求項７又は請求項８に記載の電子機器。
【請求項１０】
通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードに応じて、前記各起動モード遷移直後の音量初期値として、当該モード遷移又は遷移先モードに固有の固定値、又は同一モードでの前回起動時の最終設定値のいずれかの設定をユーザが行えるようする音量制御手段を備える請求項７乃至請求項９のいずれかに記載の電子機器。
【請求項１１】
前記音量制御手段は、前記各起動モードに応じて、音量ミュート時に音声復号化処理を停止するか否かの設定をユーザが行えるようする請求項１０に記載の電子機器。
【請求項１２】
前記テレビ放送波を受信するテレビ放送受信手段と、録画データの再生を行う録画データ再生手段と、を備える電子機器が携帯端末である請求項７乃至請求項１１のいずれかに記載の電子機器。
【請求項１３】
テレビ放送視聴又は録画データ再生を行える電子機器を遠隔制御可能なコントローラにおいて、
マナー起動を行うためのキー入力手段と、
通常にテレビ又は録画データを視聴するための通常起動、マナーを要する場所でテレビ又は録画データを視聴するための前記マナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードを個別に管理し、未起動でマナー起動操作が行われるとマナー起動モードにし、通常起動モードで起動モード切替操作が行われるとマナー起動モードにし、未起動でヘッドホンマナー使用起動操作が行われるとヘッドホン使用マナー起動モードにし、ヘッドホン使用通常起動モードで起動モード切替操作が行われるとヘッドホン使用マナー起動モードにし、マナー起動モードでヘッドホンが挿入されるとヘッドホン使用マナー起動モードにし、ヘッドホン使用マナー起動モードでヘッドホンが抜かれるとマナー起動モードにする起動モード管理手段と、
を備えるコントローラ。
【手続補正２】
【補正対象書類名】明細書
【補正対象項目名】全文
【補正方法】変更
【補正の内容】
【発明の詳細な説明】
【技術分野】
【０００１】
本発明は、テレビ放送を受信可能な電子機器及び電子機器の音量制御方法に関する。
【背景技術】
【０００２】
近年、電子機器として、高精細液晶、高画質撮像素子等を備えた高性能な携帯端末が普及し、それに呼応するように、通常通話に加えて、インターネット接続、メール送受信、ＴＶ（テレビ）電話、アナログＴＶ放送受信等の多様なアプリケーションが搭載されるようになった。また、２００６年から本サービスが開始された携帯端末向け地上デジタルＴＶ放送の受信／視聴機能も搭載され始め、既に数社より発売されている。さらに、地上デジタル音声放送のサービス開始も予定されており、当該機能の携帯端末への搭載も検討されている。例えば非特許文献１によれば、地上デジタルＴＶ放送並びに地上デジタル音声放送を受信可能な携帯受信機が紹介され、近々発売される見通しである。
【０００３】
このような背景のもとで、電車内等の公共の場において携帯端末を利用して地上デジタルＴＶ放送や地上デジタル音声放送を受信／視聴する機会が今後増加するものと考えられる。その際、周囲に対する配慮が必要であることは当然である。
【０００４】
一方、公共の場での着信音制御等を目的としたマナーモードが携帯電話には搭載されており、関連する制御方法も多数紹介されている。例えば、特許文献１によれば、ユーザが使用モード別に着信音だけでなくマイク感度、受話音量等を予め設定可能であり、そのモードを簡単な操作で切り替えることができる携帯端末を提案している。また、特許文献２によれば、移動速度から自動的にマナーモードＯＮ／ＯＦＦが可能なシステムを提案しており、高速移動中のユーザがマナーモードを設定する必要性を排除している。いずれも、一般的なマナーモード操作を超えた利便性をユーザに提供可能である。
【０００５】
さらに、地上デジタルＴＶ放送を屋外や電車内でも情報、娯楽性を損なわずに視聴可能な携帯端末も提案されている。例えば、特許文献３によれば、視聴時の周囲の環境音量に応じて、音声データを文字変換／字幕表示する仕組みが示されている。
【０００６】
【特許文献１】特開平１０−２６２２８０号公報
【特許文献２】特開２００１−１５７２６８号公報
【特許文献３】特開２００５−６４５９２号公報
【非特許文献１】News Topics、[online]、株式会社ピクセラ、[２００６年３月２４日検索]、インターネット＜URL:http://www.pixela.co.jp/news/2005/1216.html＞
【発明の開示】
【発明が解決しようとする課題】
【０００７】
しかしながら、従来のＴＶ放送受信可能な携帯端末においては、電車内等の公共の場でＴＶ視聴するような場合、前述の特許文献３のような文字変換等の方法を除けば、ヘッドホンを使用したり、音量をミュートしたりせざるを得ないことが多い。このとき、ＴＶ視聴時の音量は前回視聴時の最終設定値が用いられることが一般的であるため、前回視聴した状況によっては起動時に予想外の大音量で再生される可能性がある。また、起動直後に音量を小さくして視聴開始したとしても、途中でヘッドホンに切り替えたい場合には装着後に通常音量に変更するなどの音量調節が再度必要となり、ユーザにとって操作が煩わしいという問題がある。
【０００８】
ここで、図１０に示すフロー図を用いて説明する。同図において、ＴＶを起動した（ステップＳ１０００）際に、その直後に意図しない音量で再生する可能性があり、周囲に迷惑を掛ける危険性がある。そこで、音量調整が必要か否かを判定し（ステップＳ１００１）、音量調整が必要であれば音量調整を実施する（ステップＳ１００２）。この際の音量調整はユーザが手動で行う。音量調整を実施した後、ヘッドホンの挿抜があるかどうか判定し（ステップＳ１００３）、ヘッドホンの挿抜がある場合はステップＳ１００１に戻り、再度音量調整が必要かどうか判定する。ヘッドホンの挿抜がない場合はＴＶ受信が停止かどうかを判定し（ステップＳ１００４）、ＴＶ受信停止でなければＴＶ受信が終了するまでユーザが手動で音量調整するフローが繰返されることになる。音量調整が必要でない場合は、ステップＳ１００１からステップＳ１００３に進む。
【０００９】
本発明は、係る事情に鑑みてなされたものであり、ＴＶ放送視聴開始時やヘッドホン挿抜時に自動的に音量を制御することができる電子機器及び電子機器の音量制御方法を提供することを目的とする。
【課題を解決するための手段】
【００１０】
上記目的は下記構成又は方法により達成される。
（１）  テレビ放送波を受信するテレビ放送受信手段を備える電子機器のテレビ放送視聴又は録画データ再生における起動モード管理方法において、通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードを個別に管理し、ユーザによる所定の操作をトリガとして、前記各起動モードの遷移、及び当該モード遷移又は遷移先モードに固有の音量制御を行う。
【００１１】
（２）  上記（１）に記載の起動モード管理方法において、前記ユーザによる起動操作、音量変更操作、ヘッドホン挿抜操作を含む。
【００１２】
（３）  上記（１）又は（２）に記載の起動モード管理方法において、前記テレビ放送波を受信するテレビ放送受信手段を備える電子機器が携帯端末である。
【００１３】
（４）  テレビ放送波を受信するテレビ放送受信手段を備える電子機器のテレビ放送視聴又は録画データ再生における音量制御方法において、通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードに応じて、前記各起動モード遷移直後の音量初期値として、当該モード遷移又は遷移先モードに固有の固定値、又は同一モードでの前回起動時の最終設定値のいずれかの設定をユーザが行えるようにする。
【００１４】
（５）  上記（４）に記載の音量制御方法において、前記各起動モードに応じて、音量ミュート時に音声復号化処理を停止するか否かの設定をユーザが行えるようにする。
【００１５】
（６）  上記（４）又は（５）に記載の音量制御方法において、前記テレビ放送波を受信するテレビ放送受信手段を備える電子機器が携帯端末である。
【００１６】
（７）  テレビ放送波を受信するテレビ放送受信手段と、録画データの再生を行う録画データ再生手段と、を備える電子機器において、ユーザによる操作手段と、通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードを個別に管理し、前記操作手段によるユーザ操作をトリガとして、前記各起動モードの遷移、及び当該モード遷移又は遷移先モード固有の音量制御を行う起動モード管理手段と、を備える。
【００１７】
（８）  上記（７）に記載の電子機器において、前記ユーザによる起動操作、音量変更操作、ヘッドホン挿抜操作を含む。
【００１８】
（９）  上記（７）又は（８）に記載の電子機器において、前記起動モード管理手段は、未起動でマナー起動操作が行われるとマナー起動モードにし、通常起動モードで起動モード切替操作が行われるとマナー起動モードにし、未起動でヘッドホン使用マナー起動操作が行われるとヘッドホン使用マナー起動モードにし、ヘッドホン使用通常起動モードで起動モード切替操作が行われるとヘッドホン使用マナー起動モードにし、マナー起動モードでヘッドホンが挿入されるとヘッドホン使用マナー起動モードにし、ヘッドホン使用マナー起動モードでヘッドホンが抜かれるとマナー起動モードにする。
【００１９】
（１０）  上記（７）乃至（９）のいずれかに記載の電子機器において、通常にテレビ又は録画データを視聴するための通常起動、マナーを要する場所でテレビ又は録画データを視聴するためのマナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードに応じて、前記各起動モード遷移直後の音量初期値として、当該モード遷移又は遷移先モードに固有の固定値、又は同一モードでの前回起動時の最終設定値のいずれかの設定をユーザが行えるようする音量制御手段を備える。
【００２０】
（１１）  上記（１０）に記載の電子機器において、前記音量制御手段は、前記各起動モードに応じて、音量ミュート時に音声復号化処理を停止するか否かの設定をユーザが行えるようする。
【００２１】
（１２）  上記（７）乃至（１１）のいずれかに記載の電子機器において、前記テレビ放送波を受信するテレビ放送受信手段と、録画データの再生を行う録画データ再生手段と、を備える電子機器が携帯端末である。
【００２２】
（１３）  テレビ放送視聴又は録画データ再生を行える電子機器を遠隔制御可能なコントローラにおいて、マナー起動を行うためのキー入力手段と、通常にテレビ又は録画データを視聴するための通常起動、マナーを要する場所でテレビ又は録画データを視聴するための前記マナー起動、ヘッドホンを使用して通常にテレビ又は録画データを視聴するためのヘッドホン使用通常起動、マナーを要する場所でヘッドホンを使用してテレビ又は録画データを視聴するためのヘッドホン使用マナー起動の各起動モードを個別に管理し、未起動でマナー起動操作が行われるとマナー起動モードにし、通常起動モードで起動モード切替操作が行われるとマナー起動モードにし、未起動でヘッドホンマナー使用起動操作が行われるとヘッドホン使用マナー起動モードにし、ヘッドホン使用通常起動モードで起動モード切替操作が行われるとヘッドホン使用マナー起動モードにし、マナー起動モードでヘッドホンが挿入されるとヘッドホン使用マナー起動モードにし、ヘッドホン使用マナー起動モードでヘッドホンが抜かれるとマナー起動モードにする起動モード管理手段と、を備える。
【発明の効果】
【００２３】
上記（１）に記載の起動モード管理方法では、ユーザによる所定の操作をトリガとして自動的に音量を制御するので、電車内等の公共の場でテレビ放送や録画データを視聴するような場合で、周囲に対する配慮からヘッドホンを使用したり、音量をミュートして視聴せざるを得ない場合でも単一操作でマナー起動を行うことができる。すなわち、視聴環境や視聴スタイルに依存した煩わしい音量操作を行うことなく常に的確な音量でテレビ視聴等を行うことが可能となる。
【００２４】
上記（２）に記載の起動モード管理方法では、ユーザによる起動操作、音量変更操作、ヘッドホン挿抜操作を含み、上記（１）による効果と同様の効果が得られる。
【００２５】
上記（３）に記載の起動モード管理方法では、テレビ放送波を受信するテレビ放送受信手段を備える電子機器が携帯端末であり、上記（１）による効果と同様の効果が得られる。
【００２６】
上記（４）に記載の音量制御方法では、通常起動／マナー起動／ヘッドホン使用起動等の各起動モードに応じて、起動モード遷移直後の音量初期値として、当該モード遷移又は遷移先モードに固有の固定値、又は同一モードでの前回起動時の最終設定値のいずれかの設定をユーザが自由に行うことができる。
【００２７】
上記（５）に記載の音量制御方法では、通常起動／マナー起動／ヘッドホン使用起動等の各起動モードに応じて、音量ミュート時に音声復号化処理を停止するか否かの設定をユーザが自由に行うことができ、しかも音声復号化処理を停止する設定を行うことで省電力化が図れる。
【００２８】
上記（６）に記載の音量制御方法では、テレビ放送波を受信するテレビ放送受信手段を備える電子機器が携帯端末であり、上記（４）による効果と同様の効果が得られる。
【００２９】
上記（７）に記載の電子機器では、テレビ放送／録画データ視聴開始時やヘッドホン挿抜時に自動的に音量を制御するので、電車内等の公共の場でテレビ放送や録画データを視聴するような場合で、周囲に対する配慮からヘッドホンを使用したり、音量をミュートして視聴せざるを得ない場合でも単一操作でマナー起動を行うことができる。すなわち、視聴環境や視聴スタイルに依存した煩わしい音量操作を行うことなく常に的確な音量でテレビ視聴等を行うことが可能となる。
【００３０】
上記（８）に記載の電子機器では、ユーザによる起動操作、音量変更操作、ヘッドホン挿抜操作を含み、上記（７）による効果と同様の効果が得られる。
【００３１】
上記（９）に記載の電子機器では、通常起動／マナー起動／ヘッドホン使用起動等を単一操作で行うことができる。
【００３２】
上記（１０）に記載の電子機器では、通常起動／マナー起動／ヘッドホン使用起動等の各起動モードに応じて、起動モード遷移直後の音量初期値として、当該モード遷移又は遷移先モードに固有の固定値、又は同一モードでの前回起動時の最終設定値のいずれかの設定をユーザが自由に行うことができる。
【００３３】
上記（１１）に記載の電子機器では、通常起動／マナー起動／ヘッドホン使用起動等の各起動モードに応じて、音量ミュート時に音声復号化処理を停止するか否かの設定をユーザが自由に行うことができ、しかも音声復号化処理を停止する設定を行うことで省電力化が図れる。
【００３４】
上記（１２）に記載の電子機器では、テレビ放送波を受信するテレビ放送受信手段と、録画データの再生を行う録画データ再生手段と、を備える電子機器が携帯端末であり、上記（７）による効果と同様の効果が得られる。
【００３５】
上記（１３）に記載のコントローラでは、電子機器における通常起動／マナー起動／ヘッドホン使用起動等を単一操作で行うことができる。なお、電子機器としては、上述した携帯端末の他、ＰＤＡ（Personal Digital Assistant）、パーソナルコンピュータ、携帯テレビ、据置き型テレビ、据置き型テレビのリモートコントローラ等である。
【発明を実施するための最良の形態】
【００３６】
以下、本発明を実施するための好適な実施の形態について、図面を参照して詳細に説明する。
【００３７】
図１は、本発明の一実施の形態に係る電子機器の概略構成を示すブロック図である。同図において、本実施の形態の電子機器は、テレビ（ＴＶ）放送を受信できる機能を有するものであり、ＴＶ放送は地上デジタルＴＶ放送を想定している。また、本実施の形態の電子機器は、携帯端末を想定している。本実施の形態の電子機器は、ＴＶ放送受信機能を実現するために、データインターフェースとして、ＴＶ放送局からデータパス１１３経由で受信する放送データのベースバンド系処理等を行うＴＶ放送データ受信部１００及びメモリ等よりデータパス１１４経由で入力される録画データの制御を行うＴＶ放送録画データ再生部１０１を備える。受信データはＴＶ放送データ分離部１０２でストリーム分離され、データ放送系のデータがＴＶ放送データ復号化部（Data）１０３に入力され、ビデオ系のデータがＴＶ放送データ復号化部（Video）１０４に入力され、オーディオ系のデータがＴＶ放送データ復号化部（Audio）１０５に入力される。
【００３８】
ＴＶ放送データ復号化部１０３からのデータ放送系の復号化データとＴＶ放送データ復号化部１０４からのビデオ系の復号化データが表示出力制御部１０６を経由してデータパス１２１により入出力制御部１１２に渡される。一方、オーディオ系の復号化データは音声出力制御部１０８を経由してデータパス１２２により入出力制御部１１２に渡される。表示出力制御部１０６は、表示系データの作成、バッファリング、出力タイミング制御等を行う。音声出力制御部１０８は、音声系データの作成、バッファリング、出力タイミング制御等を行う。表示系／音声系データの出力同期は同期制御部１０７が管理し、制御データパス１１５により、各ＴＶ放送データ復号化部１０３〜１０５を制御することで実現する。入出力制御部１１２は、ＬＣＤ（液晶）制御、カメラ制御、マイク制御、スピーカ制御、ヘッドホン検出、キー制御の各機能を有する。
【００３９】
本発明の主要構成要素である音声出力管理部１０９は、音量管理部１１０並びにＵＩ（User Interface）管理部１１１と連携して音量制御／起動モード等の全体管理を行う。音量管理部１１０は、音量管理テーブルにより現在の音量並びに次回起動時の音量を管理し、音声出力管理部１０９に対してデータパス１１８経由で適切な情報を通知する。また、音量管理部１１０は、音量ミュート時の省電力設定テーブルも管理しており、音声出力管理部１０９がデータパス１１７経由でＴＶ放送データ復号化部（Audio）１０５に通知し、復号化処理の停止／再開が可能である。ＵＩ管理部１１１は、キー操作等によるユーザインターフェースの状態変化を管理しており、ヘッドホン挿抜やキー操作が発生した場合はデータパス１２３、１２４経由で入出力管理部１１２より通知を受け、データパス１１９経由で音声出力管理部１０９に通知する。なお、音声出力管理部１０９で決定される音量／起動モードはデータパス１２０経由で表示出力制御部１０６に通知されるため、ＬＣＤ（Liquid Crystal Display：液晶ディスプレイ）等に表示させることができる。
【００４０】
次に、起動モードの管理方法並びにモード遷移時の音量制御方法について、図２、図３、図４、図５、図６、図７及び図８を参照しながら説明する。
【００４１】
図２は、音声出力管理部１０９におけるモード管理の一例である。ＴＶ視聴／再生が起動していない未起動２００から開始され、通常起動２０１、マナー起動２０２、通常起動（ＨＰ：Head Phone）２０３、マナー起動（ＨＰ：Head Phone）２０４を含む全５モードを遷移する。通常起動２０１並びに通常起動（ＨＰ）２０３は、一般的なＴＶ起動モードであり、ヘッドホン装着有無でモードが異なる。マナー起動２０２並びにマナー起動（ＨＰ）２０４は、公共の場等で使用するマナーモードであり、上記と同様にヘッドホン装着有無でモードが異なる。なお、モード遷移は、ユーザのモード選択／変更操作又はヘッドホン挿抜をトリガとしている。音量変更のみの場合は同一モードに遷移する。
【００４２】
通常起動２０１は、未起動２００からのＴＶ起動キー押下等による通常起動選択２０９により遷移するほか、マナー起動２０２からのモード切替キー押下等によるモード切替２０５又は通常起動（ＨＰ）２０３からのヘッドホン挿抜等によるＨＰ挿抜２０８でも遷移可能である。マナー起動２０２は、未起動２００からのＴＶマナー起動キー押下等によるマナー起動選択２１０により遷移するほか、通常起動２０１からのモード切替キー押下等によるモード切替２０５又はマナー起動（ＨＰ）２０４からのヘッドホン挿抜等によるＨＰ挿抜２０６でも遷移可能である。
【００４３】
通常起動（ＨＰ）２０３は、ヘッドホン装着時に未起動２００からのＴＶ起動キー押下等による通常起動選択（ＨＰ装着時）２１２により遷移するほか、マナー起動（ＨＰ）２０４からのモード切替キー押下等によるモード切替２０７又は通常起動２０１からのヘッドホン装着等によるＨＰ挿抜２０８でも遷移可能である。マナー起動（ＨＰ）２０４は、ヘッドホン装着時に未起動２００からのＴＶマナー起動キー押下等によるマナー起動選択（ＨＰ装着時）２１１により遷移するほか、通常起動（ＨＰ）２０３からのモード切替キー押下等によるモード切替２０７又はマナー起動２０２からのヘッドホン装着等によるＨＰ挿抜２０６でも遷移可能である。
【００４４】
未起動２００は、他の４モードよりテレビ機能停止等により遷移する。
【００４５】
例えば、電車内で音量ミュートにより視聴を開始したが、途中でヘッドホンに切り替えて視聴継続して終了する場合、未起動２００→マナー起動２０２→マナー起動（ＨＰ）２０４→未起動２００の順にモードが遷移する。
【００４６】
図３の（ａ）〜（ｃ）は、音声出力管理部１０９又は音量管理部１１０が管理する音量管理テーブルの一例である。（ａ）の音量管理テーブルには、現在の起動モード３００と選択されている音量３０１が格納されており、モード遷移／音量変更に応じて更新される。音量管理部１１０並びにＵＩ管理部１１１の情報を受けて音声出力管理部１０９にて管理する。
【００４７】
図３の（ｂ）の音量管理テーブルには、各起動モード３０２における音量の初期値３０４と前回設定値３０５が管理されている。初期値固定フラグ３０３は、モード遷移時に選択される音量初期値に固定値を設定するか、同一モードで前回起動した際の最終設定値を設定するかを決めるフラグであり、ユーザがモード別に予め設定可能である。音量の初期値３０４については初期値固定フラグがＯＮの場合、ユーザが予め設定した値のまま更新されない。初期値固定フラグがＯＦＦの場合、当該モードから別モードに遷移する際に前回設定値３０５と同一の値に更新される。当然のことながら、ユーザが初期値固定フラグ３０３を変更する際にもフラグがＯＮであれば固定値に、ＯＦＦであれば当該モードの前回設定値と同一の値に更新される。音量の前回設定値３０５については当該モードから別モードに遷移する際に更新される。例えば、（ｂ）では通常起動モードでは初期値固定フラグ３０３はＯＦＦであるため、音量の前回設定値と初期値が同じ「４」となっている。これはユーザが最終的に音量４を選択した状態で別モードに遷移したため、次回通常起動モードの音量初期値も４であることを示している。一方、通常起動（ＨＰ）モードでは初期値固定フラグ３０３がＯＮとなっているため、前回設定値は「６」であるが、次回通常起動（ＨＰ）モードでの音量初期値はユーザ指定の固定値５と異なっていることが分かる。
【００４８】
図３の（ｃ）の音量管理テーブルには、各起動モード３０６における音量ミュート（音量ゼロ）時の省電力設定フラグ３０７が格納されており、ユーザが予め設定可能である。本フラグ３０７がＯＮの場合、音量０が選択されると、音声出力管理部１０９がＴＶ放送データ復号部（Audio）１０５に対し復号化処理を停止させることで省電力化を図ることができる。
【００４９】
図４〜図８はモード遷移時の制御フローの一例である。図４は、通常起動モードに遷移した場合の制御フローである。同図において、通常起動モードに遷移すると（ステップＳ４００）、遷移元のモード確認を順次行う（ステップＳ４０１、ステップＳ４０２）。遷移元が通常起動モードすなわち同一モードであれば音量変更により、要求された音量に変更する（ステップＳ４０３）。遷移元が通常起動（ＨＰ）モードであれば音量管理テーブルに格納されている初期値３０４への音量変更並びにヘッドホン有無による音特性変更を行う（ステップＳ４０４）。それ以外の場合は音量変更により、音量管理テーブルに格納されている初期値３０４に音量を変更する（ステップＳ４０５）。いずれの場合も、共通後処理（ステップＳ４０６）を実施して終了する。
【００５０】
図５は、マナー起動モードに遷移した場合の制御フローである。同図において、マナー起動モードに遷移すると（ステップＳ５００）、遷移元のモード確認を順次行う（ステップＳ５０１、ステップＳ５０２）。遷移元がマナー起動モードすなわち同一モードであれば音量変更により、要求された音量に変更する（ステップＳ５０３）。遷移元がマナー起動（ＨＰ）モードであれば音量管理テーブルに格納されている初期値３０４への音量変更並びにヘッドホン有無による音特性変更を行う（ステップＳ５０４）。それ以外の場合は音量変更により、音量管理テーブルに格納されている初期値３０４に音量を変更する（ステップＳ５０５）。いずれの場合も、共通後処理（ステップＳ５０６）を実施して終了する。
【００５１】
図６は、通常起動（ＨＰ）モードに遷移した場合の制御フローである。同図において、通常起動（ＨＰ）モードに遷移すると（ステップＳ６００）、遷移元のモード確認を順次行う（ステップＳ６０１、ステップＳ６０２、ステップＳ６０３）。遷移元が通常起動（ＨＰ）モードすなわち同一モードであれば音量変更により、要求された音量に変更する（ステップＳ６０４）。遷移元が通常起動モードであれば音量管理テーブルに格納されている初期値３０４への音量変更並びにヘッドホン有無による音特性変更を行う（ステップＳ６０５）。遷移元が未起動モードであれば音量変更により、音量管理テーブルに格納されている初期値３０４に音量を変更する（ステップＳ６０６）。それ以外、すなわち、遷移元がマナー起動（ＨＰ）モードの場合は音量変更しない。これはヘッドホンを使用中という状況が変化しないため、音量変更の必要性がないためである。いずれの場合も、共通後処理（ステップＳ６０７）を実施して終了する。
【００５２】
図７は、マナー起動（ＨＰ）モードに遷移した場合の制御フローである。同図において、マナー起動（ＨＰ）モードに遷移すると（ステップＳ７００）、遷移元のモード確認を順次行う（ステップＳ７０１、ステップＳ７０２、ステップＳ７０３）。遷移元がマナー起動（ＨＰ）モード、すなわち同一モードであれば音量変更により、要求された音量に変更する（ステップＳ７０４）。遷移元がマナー起動モードであれば音量管理テーブルに格納されている初期値３０４への音量変更並びにヘッドホン有無による音特性変更を行う（ステップＳ７０５）。遷移元が未起動モードであれば音量変更により、音量管理テーブルに格納されている初期値３０４に音量を変更する（ステップＳ７０６）。それ以外、すなわち、遷移元が通常起動（ＨＰ）モードの場合は音量変更しない。これは前述のように音量変更の必要性がないためである。いずれの場合も、共通後処理（ステップＳ７０７）を実施して終了する。
【００５３】
図８は、図４〜図７における共通後処理ステップＳ４０６、Ｓ５０６、Ｓ６０７、Ｓ７０７の詳細フローである。同図において、共通後処理（ステップＳ８００）では、まず音量管理テーブル更新を行う（ステップＳ８０１）。具体的には図３の（ａ）に示す音量管理テーブル内の現在のモード／音量を更新するとともに、図３の（ｂ）に示す音量管理テーブルで遷移元モードの音量初期値／前回設定値を更新する。次いで、省電力フラグ確認（ステップＳ８０２）の結果に従い、ＴＶ放送データ復号部（Audio）１０５に対する復号化停止要求を行う（ステップＳ８０３）か、又は開始要求を行う（ステップＳ８０４）。最後に現在モードに関する情報をユーザに通知するために表示出力制御部１０６に対するモード情報表示要求を発行する（ステップＳ８０５）。
【００５４】
以上により、起動モード管理／音量制御を比較的容易に実施することができ、ユーザは使用環境、使用スタイルに依存する音量変更等の煩わしさから解放される。
【００５５】
最後に、ＴＶマナー起動可能な携帯端末について図９を参照しながら説明する。図９は、ＴＶマナー起動キーを搭載した携帯端末の一例である。本携帯端末９００にはＴＶ通常起動キー９０１、ＴＶマナー起動キー９０２、起動モード切替キー９０３が搭載されている。
【００５６】
テレビ機能停止状態でＴＶ通常起動キー９０１を押下すると、通常起動モードに遷移する。図２では未起動２００→遷移パス２０９→通常起動２０１と遷移する。ＴＶ機能停止状態でＴＶマナー起動キー９０２を押下すると、マナー起動モードに遷移する。図２では未起動２００→遷移パス２１０→マナー起動２０２と遷移する。いずれかのモードで起動している際に起動モード切替キー９０３を押下すると、反対のモードに遷移する。図２では遷移パス２０５に相当する。ヘッドホンを装着している場合も同様に通常起動（ＨＰ）２０３、マナー起動（ＨＰ）２０４を遷移する。また、各々を専用キーにする必要はなく、単一キーでの短押し／長押し操作に区別してもよいし、メニュー選択方式としてもよい。モード情報／音量情報をＬＣＤ表示部９０４に表示することでユーザの利便性も向上する。
【００５７】
なお、図９は携帯電話をイメージしているが、ＰＤＡ、パーソナルコンピュータ、携帯テレビ、据置き型テレビ、据置き型テレビのリモートコントローラ等にも適用可能である。すなわち、電源ＯＮ時に音量ミュートしたいような場合には本発明のモード管理／音量制御を実装し、マナー起動ボタンを搭載することで解決可能である。
【００５８】
本発明を詳細にまた特定の実施態様を参照して説明したが、本発明の精神と範囲を逸脱することなく様々な変更や修正を加えることができることは当業者にとって明らかである。
【００５９】
本出願は、２００６年８月４日出願の日本特許出願（特願２００６−２１２９８７）に基づくものであり、その内容はここに参照として取り込まれる。
【産業上の利用可能性】
【００６０】
本発明は、ＴＶ放送視聴開始時やヘッドホン挿抜時に自動的に音量を制御することができるといった効果を有し、テレビ受信機能を有する携帯端末、ＰＤＡ、パーソナルコンピュータ、携帯テレビ、据置き型テレビ、据置き型テレビのリモートコントローラ等の電子機器への適用が可能である。
【図面の簡単な説明】
【００６１】
【図１】本発明の一実施の形態に係る電子機器の概略構成を示すブロック図
【図２】本実施の形態に係る電子機器におけるモード管理の一例を説明するための図
【図３】本実施の形態に係る電子機器に設けられた音量管理テーブルを示す図
【図４】本実施の形態に係る電子機器のモード遷移時の制御（通常起動）の一例を示すフロー図
【図５】本実施の形態に係る電子機器のモード遷移時の制御（マナー起動）の一例を示すフロー図
【図６】本実施の形態に係る電子機器のモード遷移時の制御（通常起動（ＨＰ））の一例を示すフロー図
【図７】本実施の形態に係る電子機器のモード遷移時の制御（マナー起動（ＨＰ））の一例を示すフロー図
【図８】本実施の形態に係る電子機器のモード遷移時の制御（共通後処理）の一例を示すフロー図
【図９】本実施の形態に係る電子機器としての携帯端末のイメージ図
【図１０】従来の携帯端末におけるテレビ起動手順の一例を示すフロー図
【符号の説明】
【００６２】
１００  ＴＶ放送データ受信部
１０１  ＴＶ放送録画データ再生部
１０２  ＴＶ放送データ分離部
１０３  ＴＶ放送データ復号化部（Data）
１０４  ＴＶ放送データ復号化部（Video）
１０５  ＴＶ放送データ復号化部（Audio）
１０６  表示出力制御部
１０７  同期制御部
１０８  音声出力制御部
１０９  音声出力管理部
１１０  音量管理部
１１１  ＵＩ管理部
１１２  入出力制御部
９００  携帯端末
９０１  ＴＶ通常起動キー
９０２  ＴＶマナー起動キー
９０３  ＴＶ起動モード切替キー
９０４  ＬＣＤ表示部
【手続補正３】
【補正対象書類名】図面
【補正対象項目名】全図
【補正方法】変更
【補正の内容】
【図１】
2008015864.tif 000013
【図２】
2008015864.tif 000014
【図３】
2008015864.tif 000015
【図４】
2008015864.tif 000016
【図５】
2008015864.tif 000017
【図６】
2008015864.tif 000018
【図７】
2008015864.tif 000019
【図８】
2008015864.tif 000020
【図９】
2008015864.tif 000021
【図１０】
2008015864.tif 000022
【国際調査報告】
2008015864.tif 000023
2008015864.tif 000024
2008015864.tif 000025
2008015864.tif 000026